(57)【要約】      （修正有）【課題】シールド効果を確保でき感染症を防止するのに好適な飲食補助具を提供する。【解決手段】接続口１２を有して着用者の顔面に着用されるシールド具１０に接続される飲食補助具２０であって、前記シールド具における接続口に接続される接続部２１と、前記接続口と前記接続部との接続により、前記シールド具側と連通し、飲食物Ｆが収容されるシールド空間２０Ｓと、を具備する。シールド空間を形成する骨格の柱２３には、エアチューブが用いられていて、エアー立上げ式で立体化される。【選択図】図１
0003233929.tif 000002
【実用新案登録請求の範囲】
【請求項１】
接続口を有して着用者の顔面に着用されるシールド具に接続される飲食補助具であって、
前記シールド具における接続口に接続される接続部と、
前記接続口と前記接続部との接続により、前記シールド具側と連通し、飲食物が収容されるシールド空間と、
を具備することを特徴とする飲食補助具。
【請求項２】
前記シールド空間を形成する骨格の柱には、エアチューブが用いられていて、エアー立上げ式で立体化されることを特徴とする請求項１に記載の飲食補助具。
【請求項３】
請求項１又は請求項２に記載の飲食補助具が載置される載置台を備えていることを特徴とする飲食補助具。
【請求項４】
前記載置台には、エアチューブが用いられることを特徴とする請求項３に記載の飲食補助具。
【請求項５】
前記シールド空間内に手指を出し入れできる手指出入口が設けられていることを特徴とする請求項１乃至請求４のいずれか一項に記載の飲食補助具。
【請求項６】
前記シールド空間内にあって、指が挿入できる袋状の指挿入部が設けられていることを特徴とする請求項１乃至請求４のいずれか一項に記載の飲食補助具。
【請求項７】
前記接続部は、前記シールド空間側と蛇腹状の繋ぎ部を介して連結されていることを特徴とする請求項１乃至請求項６のいずれか一項に記載の飲食補助具。
【考案の詳細な説明】
【技術分野】
【０００１】
本考案は、ウイルスや細菌等による感染症を防止するのに適する飲食補助具に関する。
【背景技術】
【０００２】
新型コロナウイルスによる感染症のパンデミックは、社会の至る所に影響を及ぼしている。例えば、大人数での飲食の場において食物や飲料を摂取する場合、感染リスクが高いことが認識されている。
したがって、イベント会場の観覧席での飲食や歩行中の飲食等について感染防止の対策を講じる必要がある。
従来、収容体内に弁当箱等を収容し、吊下体を首に掛けて使用する首掛け式の保持具が知られている。
【先行技術文献】
【特許文献】
【０００３】
【特許文献１】実用新案登録第３０４９３７０号公報
【特許文献２】実用新案登録第３１５８８８７号公報
【特許文献３】実用新案登録第３１７１４７０号公報
【考案の概要】
【考案が解決しようとする課題】
【０００４】
しかしながら、上記従来のものは飲食にあたって、何ら感染防止の対策が講じられているものではない。
本考案は、シールド効果を確保でき感染症を防止するのに好適な飲食補助具を提供することを目的とする。
【課題を解決するための手段】
【０００５】
本考案の実施形態による飲食補助具は、接続口を有して着用者の顔面に着用されるシールド具に接続される飲食補助具であって、前記シールド具における接続口に接続される接続部と、前記接続口と前記接続部との接続により、前記シールド具側と連通し、飲食物が収容されるシールド空間と、を具備することを特徴とする。
シールド具は、着用者の顔面に着用されるものであり、マスクやフェイスシールドと指称されるものが含まれる。格別限定的に解釈されるものではない。
かかる考案によれば、シールド効果を確保でき感染症を防止するのに好適な飲食補助具を提供できる。
【考案の効果】
【０００６】
本考案の実施形態によれば、シールド効果を確保でき感染症を防止するのに好適な飲食補助具を提供することが可能となる。
【図面の簡単な説明】
【０００７】
【図１】本考案の第１の実施形態に係る飲食補助具の使用状態を示す概略の説明図である。
【図２】フェイスシールドの概略を示す正面図である。
【図３】図２中、Ｙ−Ｙ線に沿う断面図である。
【図４】フェイスシールドの前面部材における開口部の構成を示す断面図である。
【図５】同飲食補助具を示す正面図である。
【図６】同飲食補助具を示す側面図である。
【図７】同飲食補助具における接続部を示す斜視図である。
【図８】図７中、Ｘ−Ｘ線に沿う断面図である。
【図９】本考案の第２の実施形態に係る飲食補助具示す斜視図である。
【図１０】同飲食補助具示す側面図である。
【図１１】同飲食補助具示す背面図である。
【考案を実施するための形態】
【０００８】
以下、本考案の第１の実施形態に係る飲食補助具について図１乃至図８を参照して説明する。図１は、飲食補助具の使用状態を示す概略の説明図であり、図２は、フェイスシールドの概略を示す正面図であり、図３は、図２中、Ｙ−Ｙ線に沿う断面図であり、図４は、フェイスシールドの前面部材における開口部の構成を示す断面図である。また、図５及び図６は、飲食補助具を示す正面図及び側面図であり、図７は、飲食補助具における接続部を示す斜視図であり、図８は、図７中、Ｘ−Ｘ線に沿う断面図であり、フェイスシールドの接続口に飲食補助具の接続部を接続した状態を示している。なお、各図において、同一部分には同一符号を付し、重複する説明は省略する。
【０００９】
本実施形態の飲食補助具は、接続口を有して着用者の顔面に着用されるシールド具（マスクやフェイスシールドと指称されるものを含む。）に接続され、前記シールド具における前記接続口に接続される接続部と、前記接続口と前記接続部との接続により、前記シールド具側と連通し、飲食物が収容されるシールド空間とを備える。
【００１０】
図１において、例えば、イベント会場の観覧席に着座しているシールド具の着用者、すなわち、フェイスシールド１０の着用者がそのフェイスシールド１０に飲食補助具２０を接続して飲食を行う場合を示している。
飲食補助具２０は、例えば、ボックス状のシールド空間２０Ｓが形成され、このシールド空間２０Ｓ内に飲食物Ｆが収容されるものであり、フェイスシールド１０に接続されて使用される。
【００１１】
具体的には、飲食補助具２０の一面側には、詳細を後述する接続部２１が設けられていて、この接続部２１がフェイスシールド１０における接続口１２に接続されるようになっている。
【００１２】
また、飲食補助具２０は、透明のビニールフィルムや防水性を有する紙の材料からなっており、両側にはシールド空間２０Ｓ内に手指が出し入れ可能で、かつシール構成の手指出入口２２が設けられている。なお、飲食補助具２０は、透光性を有していれば半透明であってもよい。したがって、使用者は、手指出入口２２からシールド空間２０Ｓ内に手を入れて、飲食物Ｆを取り飲食することが可能となる。また、シールド空間２０Ｓ内に箸、スプーン、フォーク、トングやおしぼり等の飲食用具を収容しておくことにより、必要に応じて使用することができる。
【００１３】
さらに、飲食補助具２０におけるボックス状の形状を形成する骨格の柱２３には、エアチューブが用いられていて、飲食補助具２０の不使用時には畳まれてコンパクトなサイズとなり、使用時にはエアチューブに空気を注入することにより、エアー立上げ式で立体化されてボックス状の形状が形成されるようになっている。
【００１４】
また、座席の肘掛けＥには、飲食補助具２０を載置するための載置台Ｒが面ファスナーＦｔ等によって取り付けられ固定されている。なお、載置台Ｒとしてはエアチューブを用いることができる。さらに、座席の肘掛けＥがない場合には、載置台Ｒを使用者の大腿に乗せることができるように四角の枠状に構成するようにしてもよい。この場合、載置台Ｒの下面側において、膝から大腿にかけて抱き込むような保持枠を設けることにより、載置台Ｒの安定性を確保することができ、延いては飲食補助具２０を安定して載置状態とすることができる。
次に、本実施形態の飲食補助具２０を説明するにあたって、まず、図２乃至図４を参照してフェイスシールド１０の概要について説明する。
図２及び図３に示すようにフェイスシールド１０は、前面部材１と、シール部材２と、位置合わせ部材３と、目部保護カバー４と、頭部支持バンド５とを備えている。
【００１５】
前面部材１は、板状の透明なアクリル材料等の樹脂材料からなり、人物（着用者）の顔面に対向して覆うように形成されている。全体的には正面視では逆台形状であって前面側が凸の湾曲状に形成されている。
【００１６】
具体的には、着用者の鼻部及び口部を覆うようになっていて、口部に対応する部分には、開口部１１が形成されている。開口部１１は四角形状の開口であり、開口部１１の開口周縁には接続口１２が設けられている。接続口１２には、飲食補助具２０の接続部２１が接続できるようになっている。接続口１２は、開口部１１の開口周縁に沿った枠状の部材であり、枠状の内周側には弾性材としてゴム等のパッキン１２ａが設けられている（図４参照）。
【００１７】
なお、前面部材１は、透明であることが好ましいが、透光性を有していれば半透明であってもよく、さらには不透明のフィルタ材で形成されるものであってもよい。
【００１８】
また、開口部１１には、この開口部１１を開閉する開閉蓋１１ａが設けられている。開閉蓋１１ａは、樹脂材料で作られた透明のフィルム板状のものであり、開口部１１の内側に配置されるようになっており、開閉機構によって開口部１１を開閉動作するようになっている。開閉蓋１１ａには、弾性体のゴム紐等が設けられていて、この弾性体は開閉蓋１１ａを閉めた状態で、開閉蓋１１ａを引っ張り方向に弾性付勢するものであり、つまり、開閉蓋１１ａを開く方向に弾性付勢するようになっている。
【００１９】
したがって、開閉蓋１１ａの弾性付勢を解除することにより、開閉蓋１１ａは開く方向に動作し、開口部１１が開放する状態となる。開閉機構は、手動ハンドル１１ｂを有しおり、手動ハンドル１１ｂの操作により、開閉蓋１１ａは送り移動され、つまり、開口部１１を閉塞動作させることができる。開閉蓋１１ａにより開口部１１が閉塞された状態ではシールドが確保されるようになっている。なお、手動ハンドル１１ｂに換えて手動の回転摘みを設けることができる。
【００２０】
シール部材２は、弾力性及び伸縮性を有する樹脂製の２列のエアチューブが用いられていて、前面部材１の内側に取り付けられて設けられるようになっており、鼻部及び口部を含んで囲むように、鼻部側から顎側に向かって垂れ下がるように略Ｕ字状をなしている。また、シール部材２は、鼻部及び口部の周囲に対応する本体部２ａと、本体部２ａから連続して顎側へ弧状をなして向かう顎係止部２ｂとを有している。
【００２１】
本体部２ａは、前面部材１側に着脱可能に取り付けられるようになっている。一方、顎係止部２ａは、前面部材１側に取り付けられることなく自由に動き得るフリーの状態となっている。したがって、顎係止部２ｂは、顎に引っ掛けることができ、顎に引っ掛けた状態で、顎の動きに追随して伸縮可能となっている。
【００２２】
なお、エアチューブへの空気の注入には小型の手動ポンプを用いることができる。また、シール部材２には、エアチューブが用いられているが、エアチューブに限らず、ゴムや弾力性を有する低反発のスポンジ等を用いてもよく、格別材質が限定されるものではない。さらに、シール部材２は２列の構成が好ましいが１列の構成であってもよい。
【００２３】
シール部材２の顎係止部２ｂと前面部材１との間に張設されるように伸縮フィルタ２ｃが設けられている。伸縮フィルタ２ｃは例えば、伸縮性及び柔軟性を有する不織布や合成繊維等の材料、又はこれらの複合材料が用いられ、空気の流通は許容するがウイルスや細菌の侵入を抑制する機能を有している。したがって、伸縮フィルタ２ｃは、シールドを確保しながら顎係止部２ｂの動きに伴って伸縮して動き得る。
【００２４】
位置合わせ部材３は、伸縮性を有する弾性材からなる紐状の部材であり、両端が前面部材１における背面側の開口端部に固定されている。位置合わせ部材３は、フェイスシールド１０を着用するときに口部の下の顎部に掛け渡され、フェイスシールド１０の着用位置を適切にするものである。
以上のような構成によって、前面部材１と着用者の顔面との間にシールド空間Ｓ１が形成されるようになる。
【００２５】
目部保護カバー４は、着用者の目部を覆い目部からの感染を防止するものである。また、目部保護カバー４は、紫外線の影響を抑制する紫外線カット（ＵＶカット）の透明な樹脂板で作製されている。
【００２６】
なお、目部保護カバー４は、下端部及び両側端部が前面部材１に結合され、上端部が頭部支持バンド５に結合されて取り付けられるようになっている。したがって、目部保護カバー４によって、目部保護カバー４と着用者の顔面の目部との間にシールド空間Ｓ２が形成される。
【００２７】
頭部支持バンド５は、伸縮性を有するリング状の部材であり、フェイスシールド１０を着用者の顔面の所定位置に保持するものであり、長さ寸法が調整可能となっている。したがって、着用者の前頭部から後頭部側へ掛け渡し、頭部の径寸法に合わせて調整できる。
【００２８】
また、後頭部側には換気扇６が配置されるようになっている。換気扇６は小型のフィルタ付きの換気扇であり、この換気扇６には、排気パイプ６ａが接続されており、排気パイプ６ａの先端部はフェイスシールド１０によって形成されるシールド空間Ｓ１に接続されている。したがって、換気扇６を駆動させてシールド空間Ｓ１内を換気することが可能となる。
【００２９】
本実施形態のフェイスシールド１０には、笠ユニット７が取り付けられるようになっている。笠ユニット７は、頭部支持バンド６から立設するように設けられる合成樹脂製の支柱に取り付けられ、フェイスシールド１０の着用者の頭部を覆うように配置される。笠ユニット７は、フェイスシールド１０を屋外で使用する場合に熱中症の予防に有効となる。
【００３０】
以上説明してきたようにフェイスシールド１０の着用時には、フェイスシールド１０と顔面との間にシール部材２、伸縮フィルタ２ｃ及びフィルタ等によってシールド空間Ｓ１及びＳ２が形成される。
次に、図５乃至図８を参照して飲食補助具２０について詳細を説明する。
【００３１】
飲食補助具２０は、略直方体形状のボックス状をなしていて、背面には接続部２１が設けられ、両側には手指出入口２２が設けられ、上面には蓋部２４が設けられ、正面にはフィルタ２５が設けられている。また、シールド空間２０Ｓ内には、カップ保持部２６が設けられている。
【００３２】
既述のように飲食補助具２０におけるシールド空間２０Ｓを形成し、ボックス状の形状を形成する骨格の柱２３には、エアチューブが用いられている。したがって、エアチューブの柱２３に空気を注入していない不使用時には、飲食補助具２０は畳まれてコンパクトなサイズとなっている。また、使用時には、エアチューブの柱２３に空気を注入することにより、底面側を基準としてエアー立上げ式で立体化されてボックス状の形状が形成される。なお、エアチューブの柱２３への空気の注入には、吐息又は小型の手動ポンプを用いて行うことができ、これによりエアチューブの柱２３は拡径し、立ち上がってボックス状の形状を形成する骨格となる。さらに、エアチューブの柱２３から空気を抜くことにより、飲食補助具２０は畳まれてコンパクトなサイズとなる。
【００３３】
接続部２１は、フェイスシールド１０における前面部材１の開口部１１に設けられた接続口１２に接続されるようになっていて、シールド空間２０Ｓ側と蛇腹状の伸縮可能な繋ぎ部２７を介して連結されている。また、接続部２１は、枠状であり前面部材１の湾曲状に沿うように円弧状をなしている。
【００３４】
具体的には、接続部２１には、接続口１２の内周に嵌合する嵌合片２１ａが形成されており、この嵌合片２１ａがパッキン１２ａを介して接続口１２の内周に嵌合する（図４参照）。
【００３５】
また、嵌合片２１ａの外側４箇所には、接続を確実にするための嵌合突起２１ｂが設けられている。嵌合突起２１ｂはピン状であり、中間部の外周には嵌入溝２１ｃが形成されている。この嵌入溝２１ｃには、前面部材１側に設けられた線状のばね材２１ｄが嵌入するようになっている。したがって、接続口１２に接続部２１を接続するときに、ばね材２１ｄが嵌入溝２１ｃに嵌入するので、フェイスシールド１０と飲食補助具２０との接続が強固で確実となる。
【００３６】
手指出入口２２は、略円形状で中央部に小孔２２ａを有し、伸縮性を有するシール部材である。具体的には、伸縮性及び柔軟性を有する不織布や合成繊維等の材料、又はこれらの複合材料が用いられ、空気の流通は許容するがウイルスや細菌の侵入を抑制する機能を有している。使用者は、手指出入口２２から小孔２２ａを通じてシールド空間２０Ｓ内に手指を出し入れできる。手指を挿入する場合は、小孔２２ａが拡径し、手指を出した場合には、小孔２２ａが縮径し、元の状態に戻る。
【００３７】
したがって、手指出入口２２は、シールドを確保しながら手指出入口２２からシールド空間２０Ｓ内に手を入れて、飲食物Ｆを取り飲食することが可能となる。また、シールドを確実化するために小孔２２ａを閉塞する閉塞栓２２ｂを設けるようにしてもよい。この開閉栓２２ｂは紐状体２２ｃによって手指出入口２２側に連結されている。
【００３８】
蓋部２４は、飲食物Ｆの入り口として用いられるようになっていて、飲食物Ｆをシールド空間２０Ｓ内に入れた後に、入り口をシールドしてシールド空間２０Ｓ内を外気から遮断するようにする。また、蓋部２４の前面側には蛇腹状の立ち上がり壁２４ａが形成されるようになっている。したがって、立ち上がり壁２４ａの形成によりシールド空間２０Ｓ内における前面側の領域が高さ方向に拡大することとなり、例えば、シールド空間２０Ｓ内のボトルＢに入れられた飲み物を飲む場合、ボトルＢを傾けて飲み易く円滑に行うことができる。
また、正面には空気の流通は許容するがウイルスや細菌の侵入を抑制する機能を有する長方形状のフィルタ２５が設けられている。
【００３９】
さらに、シールド空間２０Ｓ内には、カップ保持部２６が設けられている。カップ保持部２６は、飲み物が入れられたカップが倒れるのを防止して保持するものであり、好ましくはエアチューブで形成されている。なお、手指出入口２２やフィルタ２５は交換可能となっている。
次に、以上のように構成された飲食補助具２０の使用方法について説明する。
【００４０】
まず、座席の肘掛けＥに載置台Ｒを固定する。座席の肘掛けＥがない場合には、載置台Ｒを使用者の大腿に乗せる。載置台Ｒにボックス状に形成された飲食補助具２０を載置し、飲食補助具２０の接続部２１をフェイスシールド１０の開口部１１に設けられた接続口１２に接続する。この接続と同時に、開閉蓋１１ａの弾性付勢が解除されるように構成されており、開閉蓋１１ａは開く方向に動作し、開口部１１が開放する状態となる。
【００４１】
したがって、飲食補助具２０側とフェイスシールド１０側とは、開口部１１を通じてシールド空間２０Ｓとシールド空間Ｓ１とが連通状態となり、使用者は、手指出入口２２から手を差し入れて、シールドされた状態で飲食物Ｆを取り飲食することができる。
【００４２】
なお、飲食補助具２０を使用しない場合は、まず、開閉蓋１１ａを手動ハンドル１１ｂの操作によって閉塞する。この状態で、飲食補助具２０接続部２１と接続口１２との接続を解き、飲食補助具２０を取り外す。
以上のように本実施形態によれば、飲食に際し、シールド効果を確保でき感染症を防止するのに好適な飲食補助具を提供することができる。
【００４３】
次に、第２の実施形態に係る飲食補助具について図９乃至図１１を参照して説明する。図９は、飲食補助具を示す斜視図であり、図１０は、飲食補助具を示す側面図であり、図１１は、飲食補助具を示す背面図であり、接続部の構成を省略している。なお、第１の実施形態と同一又は相当部分には、同一又は相当符号を付し、詳細な説明は省略する。
【００４４】
本実施形態は、歩行中の飲食、観覧席での飲食や映画館での飲食等に適する飲食補助具であり、第１の実施形態と同様に、接続口を有して着用者の顔面に着用されるシールド具に接続され、前記シールド具における前記接続口に接続される接続部と、前記接続口と前記接続部との接続により、前記シールド具側と連通し、飲食物が収容されるシールド空間とを備える。
【００４５】
図１に示すように、例えば、歩行中のシールド具の着用者、すなわち、フェイスシールド１０の着用者が飲食を行う場合、そのフェイスシールド１０に飲食補助具３０を接続して飲食を行う。
【００４６】
飲食補助具３０は、略直方体形状の上段部とカップ形状の下段部とからなっており、透明のビニールフィルムや防水性を有する紙の材料から形成されている。なお、飲食補助具３０は、透光性を有していれば半透明であってもよい。上段部の背面には接続部３１が設けられ、両側には指挿入部３２が設けられ、外周面の適宜箇所にはフィルタ３５が設けられている。また、下段部の外周は、網状で伸縮性を有する滑り止め用の袋体３４によって覆われている。
【００４７】
また、飲食補助具３０におけるシールド空間３０Ｓの外形を形成する骨格の柱３３には、エアチューブが用いられている。したがって、図１０において矢印で示すように、エアチューブの柱３３に空気を注入していない不使用時には、飲食補助具３０は接続部３１を基点として回動させるようにして畳まれてコンパクトなサイズとなる。また、使用時には、エアチューブの柱３３に空気を注入することにより、エアー立上げ式で立体化されて外形が形成される。
【００４８】
接続部３１は、第１の実施形態と同様な構成であり、フェイスシールド１０における前面部材１の開口部１１に設けられた接続口１２に接続されるようになっていて、シールド空間３０Ｓ側と蛇腹状の伸縮可能な繋ぎ部３７を介して連結されている。また、接続部３１は、枠状であり前面部材１の湾曲状に沿うように円弧状をなしている。
【００４９】
指挿入部３２は、柔軟性を有し指が挿入できる袋状のものであり、親指用３２ａ、人差し指用３２ｂ及び中指用３２ｃの３つから構成されている。したがって、指挿入部３２に指を挿入し、指挿入部３２を通じてシールド空間３０Ｓ内に入れられた食物を掴み摂取することができる。なお、飲食補助具３０には、歩行時に使い易いように図示しない肩掛け部材が設けられている。
次に、以上のように構成された飲食補助具３０の使用方法について説明する。
【００５０】
まず、飲食補助具３０の接続部３１を開口部１１に設けられた接続口１２に接続する。この接続と同時に、開閉蓋１１ａの弾性付勢が解除されるように構成されており、開閉蓋１１ａは開く方向に動作し、開口部１１が開放する状態となる。
【００５１】
したがって、飲食補助具３０側とフェイスシールド１０側とは、開口部１１を通じてシールド空間３０Ｓとシールド空間Ｓ１とが連通状態となり、使用者は、シールド空間３０Ｓ内に収容されカップに入れられた飲み物や食物をシールドされた状態で摂取することができる。加えて、カップに入れられた飲み物を摂取する場合には、下段部の外周が袋体３４によって覆われているので、袋体３４が滑り止めの機能を果たし、カップを滑ることなく掴むことができる。
以上のように本実施形態によれば、歩行中の飲食に際し、シールド効果を確保でき感染症を防止するのに好適な飲食補助具を提供することができる。
【００５２】
本考案は、上記各実施形態の構成に限定されることなく、考案の要旨を逸脱しない範囲で種々の変形が可能である。また、上記各実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００５３】
１・・・・・・・・前面部材
２・・・・・・・・シール部材
３・・・・・・・・位置合わせ部材
４・・・・・・・・目部保護カバー
５・・・・・・・・頭部支持バンド
１０・・・・・・・フェイスシールド
１１・・・・・・・開口部
１１ａ・・・・・・開閉蓋
１２・・・・・・・接続口
２０、３０・・・・飲食補助具
２０Ｓ、３０Ｓ・・シールド空間
２１、３１・・・・接続部
２２・・・・・・・手指出入口
２３、３３・・・・柱（エアチューブ）
２７、３７・・・・繋ぎ部
３２・・・・・・・指挿入部
３４・・・・・・・袋体
Ｅ・・・・・・・・肘掛け
Ｒ・・・・・・・・載置台
Ｆｔ・・・・・・・面ファスナー
Ｓ１、Ｓ２・・・・・シールド空間
【図１】
0003233929.tif 000003
【図２】
0003233929.tif 000004
【図３】
0003233929.tif 000005
【図４】
0003233929.tif 000006
【図５】
0003233929.tif 000007
【図６】
0003233929.tif 000008
【図７】
0003233929.tif 000009
【図８】
0003233929.tif 000010
【図９】
0003233929.tif 000011
【図１０】
0003233929.tif 000012
【図１１】
0003233929.tif 000013